(57)【要約】  外科用駆動装置は、切除デバイスの回転シャフトと、モーターチャンバー内に配置されたモーターを有する駆動ユニットと、を含み、モーターは、回転シャフトがモーターチャンバーの端部を通して延びるように、回転シャフトに対して回転するように連結する。吸引チャンバーは、キャップの内部によって画定され、モーターチャンバーの端部は、駆動ユニットとのシール係合のためキャップに対して受容可能であり、切除デバイスのような回転する器具は、吸引チャンバーとの流体連通を維持する一方で、キャップに対する回転運動のためキャップを通して延びる。外科的物質の排出のため、流出チューブは、吸引チャンバーを介して吸引デバイスに対する流体経路を提供するために吸引チャンバーと流体連通する。駆動部は、洗浄および殺菌を可能とするためにシールされたモーターチャンバーから突出する。
2017503630.tif 000002
【特許請求の範囲】
【請求項１】
外科用器具デバイスであって、
ハウジング内に収容された駆動ユニットと、
前記駆動ユニットとの回転連結のために構成されたシャフトを有する回転するデバイスに係合するように構成された受容部と、
前記回転するデバイスとの流体連通のために構成された吸引チャンバーと、
前記吸引チャンバーに対して結合されかつ前記吸引チャンバーを排出させるための低圧源の結合のために構成された吸引口と、
前記回転するデバイスと前記吸引チャンバーとの間のシール可能な連結部と、
前記低圧源を前記駆動ユニットおよび前記ハウジングから分離するための前記駆動ユニットと前記吸引チャンバーとの間の回転するシール部と、
を備える、外科用器具デバイス。
【請求項２】
前記回転するデバイスを通る外科的物質の排出のために前記低圧源を方向付けるため、前記回転するシール部および前記シール可能な連結部によって画定された流体経路をさらに備え、前記流体経路が、前記駆動ユニットおよび前記ハウジングから分離された、請求項1に記載のデバイス。
【請求項３】
前記流体経路が前記駆動ユニットのハウジングではなく前記吸引チャンバーを通る、請求項2に記載のデバイス。
【請求項４】
係合する前記受容部が、低圧を前記回転するデバイスへと方向付けるために構成された流体通路をさらに備えた、請求項1に記載のデバイス。
【請求項５】
前記流体通路が前記受容部においてオリフィスをさらに備え、前記オリフィスが、前記低圧からの吸引によって運ばれる外科的物質を排出するために前記回転するデバイスにおいて相補的なオリフィスと整列するように構成された、請求項4に記載のデバイス。
【請求項６】
前記シール可能な連結部が、前記受容部の周りの弾性の周縁領域を備え、かつ、前記駆動ユニットにおける前面に対する圧縮係合のため構成された、請求項1に記載のデバイス。
【請求項７】
前記回転するシール部および前記シール可能な連結部が、外科的物質の排出のための流体経路を画定し、前記流体経路が前記駆動ユニットおよび前記ハウジングから分離された、請求項6に記載のデバイス。
【請求項８】
低圧を生成しかつ前記吸引チャンバーから排出された外科的物質を受け入れるために吸引を適用するための、前記吸引口に結合される吸引デバイスをさらに備えた、請求項7に記載のデバイス。
【請求項９】
前記シール可能な連結部が取り外し可能なキャップをさらに備え、前記取り外し可能なキャップが、前記前面との選択的係合のために構成され、前記シール可能な連結部が前記取り外し可能なキャップと前記前面との間の圧縮によって画定された、請求項6に記載のデバイス。
【請求項１０】
前記デバイスが、ピンおよび溝の拘束機構をさらに備えており、前記拘束機構が、モーターチャンバーに配置され、かつ、前記取り外し可能なキャップに配置された前記溝に係合するように構成された、少なくとも1つのピンを含む、請求項9に記載のデバイス。
【請求項１１】
前記シール可能な連結部が前記前面と係合された前記キャップとの間の圧縮のため構成された弾性リングをさらに備えた、請求項9のデバイス。
【請求項１２】
回転する手術器具を駆動するための方法であって、
駆動ユニットハウジングと前記駆動ユニットハウジング内のモーターによって駆動される受容部との間に回転するシール部を配置するステップと、
カニューレ挿入部と吸引チャンバーとの間の流体経路を有し、前記手術器具との回転係合のために構成された前記受容部に対してカニューレ状の手術器具を取り付けるステップと、
前記駆動ユニットハウジングとシール係合する取り外し可能なキャップを配置するステップであって、前記取り外し可能なキャップと前記駆動ユニットハウジングとが前記吸引チャンバーを画定する、ステップと、
外科的物質を低圧源へと排出するために前記カニューレ状の手術器具と流体連通する前記吸引チャンバーに対して吸引口を介して前記低圧源を適用するステップと、
を備える方法。
【請求項１３】
前記手術器具のシャフトにおける流体通路を介して前記低圧源から前記カニューレ挿入部への吸引を方向付けるステップをさらに備え、前記流体通路が前記吸引チャンバーとの流体連通を提供する、請求項12に記載の方法。
【請求項１４】
外科用駆動装置であって、
切除デバイスとの係合のため構成された外部の回転シャフトと、
モーターチャンバー内に配置され、前記モーターチャンバーの端部を通して延びる前記回転シャフトに対して回転するように結合されたモーターを有する駆動ユニットと、
キャップの内部によって画定される吸引チャンバーであって、前記モーターチャンバーの前記端部が前記駆動ユニットとのシール係合のため前記キャップに対して受容可能である、吸引チャンバーと、
前記キャップに対する回転運動のため前記キャップを通して延び、かつ、前記吸引チャンバーと流体連通する切除デバイスであってそれとともに回転するために前記外部の回転シャフトが直接的に係合する切除デバイスと、
前記吸引チャンバーを介して前記切除デバイスに対して流体経路を提供するために前記吸引チャンバーと流体連通する流出チューブと、
を備える装置。
【請求項１５】
前記モーターの駆動部から前記切除デバイスへと回転運動を伝達するため、前記回転シャフトにおいて非環状の受容部または突出部をさらに備える、請求項14に記載の装置。
【請求項１６】
前記モーターチャンバーの前記端部において前記外部の回転シャフトの周りに環状に配置されたシールリングをさらに備え、前記キャップが前記切除デバイスに対して受容可能であり、かつ、前記駆動ユニットの前記端部とのシール係合のため構成された、請求項14に記載の装置。
【請求項１７】
前記モーターチャンバーと前記吸引チャンバーとの間の前記外部の回転シャフト周りに配置されたモーターシール部をさらに備え、前記モーターシール部が、前記モーターチャンバーと前記吸引チャンバーとの間の流体連通を防ぐ、請求項14に記載の装置。
【請求項１８】
前記吸引チャンバーが前記モーターチャンバーから流体経路を分離する、請求項14に記載の装置。
【請求項１９】
前記切除デバイスが回転されたときに外科的介入のため操作可能な刃部またはバーである、請求項14に記載の装置。
【請求項２０】
前記装置が、ピンおよび溝の拘束機構をさらに備えており、前記拘束機構が、前記モーターチャンバーに配置され、かつ、前記キャップにおいて配置された前記溝に係合するように構成された、少なくとも1つのピンを含む、請求項14に記載の装置。
【発明の詳細な説明】
【技術分野】
【０００１】
本発明は、外科用駆動装置に関する。
【背景技術】
【０００２】
モーター駆動部(MDU)は、概して切除または手動操作のためおよび組織の除去のために手術部と係合するための刃部または器具に対し回転を提供するための結合接合部を介して様々な外科用器具とともにたびたび使われる。器具は、外科的物質の排出のために手術部に対して吸引を提供するためのカニューレ状のシャフトまたは他の通路を使用することが多い。従来の方法において、結合接合部は、概して吸引経路を介して手術部からの流体と接触する。外科的に汚染された器具は、感染の危険性に対処するため、捨てられまたはオートクレーブ内で殺菌されなければならない。さらに、殺菌のためにオートクレーブするための流体との接触および露出は、駆動ユニットに動力付与するモーターの耐用年数を上げるために乾燥したままであるべきモーターチャンバー内への生じ得る漏出の問題を呈する。
【発明の概要】
【課題を解決するための手段】
【０００３】
外科用駆動装置は、切除デバイス(sectioning device)との係合のために構成された外部の回転シャフトと、モーターチャンバー内に配置されたモーターを有する駆動ユニットと、を含み、モーターは、回転シャフトが駆動ユニットハウジングの前面における手術器具または手術道具との係合のためにモーターチャンバーの端部を通して延びるように、回転シャフトに対して回転するように連結する。外部の駆動機構は、刃部、バー(burr)または他の切除デバイスのような挿入可能な切除デバイスに対して連結するための一体化された非環状接合部を特徴とし、回転運動を提供するような楕円、六角または任意の他の非環状の幾何学的形状であってもよい。駆動特徴部は、受容部または突出部(雄/雌)であってもよく、切除デバイスの回転部に対して直接的に係合可能である。吸引チャンバーは、キャップの内部によって画定され、モーターチャンバーの前面(端部)は、駆動ユニットとのシール係合のためキャップに対して受容可能であり、切除デバイスのような回転する器具は、吸引チャンバーとの流体連通を維持する一方でキャップに対する回転運動のためにキャップを通して延びる。MDUの回転シャフトは、したがってそれとともに回転するために切除デバイスに係合する。係合は、駆動舌部またはスラフチャンバー(sluff chamber)のような付加的な連結部または接合部を必要とすることなく、内側の回転シャフトと直接的に実行される。外科的物質の排出のため、流出チューブは、吸引のため流体経路を提供するための吸引チャンバー、または、吸引チャンバーを介して低圧デバイスと流体連通し、吸引チャンバーにおける適合部を介して取り付けられる。
【０００４】
本明細書において論じられる提案された方法において、駆動部は、MDUの遠位端において前面から外方に突出し、洗浄および殺菌を可能とするようにシールされる。使い捨ての刃部またはバーのための結合接合部を包含する成形されたアダプターは、MDUモーターの吸引制御および冷却を提供するための一体化された流出適合部を特徴とする。開示された構成は、外科的物質を蓄積する傾向がある凹部、流体空洞部および空隙を回避しつつも、外科用デバイスに係合可能な対応する外部の一体化された取り付け特徴部を介して回転する外科用デバイスを受容することよって、洗浄能力および殺菌能力を維持する外部の駆動機構の提供の問題に対処する。
【０００５】
以下に示されるのは、回転する手術器具を駆動し、駆動ユニットによって動力付与された手術器具によって低圧吸引能力を提供するための、例示的システム、方法および装置である。この方法は、回転するシール部を、駆動ユニットハウジングと駆動ユニットハウジング内のモーターによって駆動される受容部との間に配置し、受容部に対してカニューレ状の手術器具を取り付ける。受容部は、器具に対して回転運動を提供するために楕円、正方形または六角形のような非環状形状を有し、受容部は、カニューレ挿入部と吸引チャンバーとの間に流体経路を有する。流体経路は、器具のカニューレ状の内部に対する開口部と整列するオリフィスまたは穴であってもよく、たとえば、手術器具の回転係合を妨げないようなものである。取り外し可能なキャップは、駆動ユニットハウジングとシール係合して配置される。取り外し可能なキャップおよび駆動ユニットハウジングは、吸引チャンバーを画定し、手術器具は、取り外し可能なキャップ内の穴またはベアリングを通して延びる。キャップは、吸引口を介して吸引チャンバーに対する低圧源を適用するように構成され、吸引チャンバーは、外科的物質を低圧源へと排出するためにカニューレ状の手術器具と流体連通する。キャップ、受容部および駆動部ハウジングの前面は、これを通して吸引経路が手術器具から吸引チャンバーへと延び、かつ、吸引口から出る、吸引チャンバーを画定する。
【０００６】
前述のかつ他の特徴は、異なる図を通して同等な参照符号が同じ部分を示す添付図面に示されるような、特定の実施形態に係る以下の記載から明らかとなる。図は必ずしも原寸ではなく、本発明に係る原理を示す上で代わりに強調が行われる。
【図面の簡単な説明】
【０００７】
【図１ａ】従来のモーター駆動ユニット(MDU)である。
【図１ｂ】図1のMDUによって係合された従来の切除器具である。
【図２】本明細書において開示されるような外部MDUの斜視図である。
【図３ａ】図2のMDUおよび取り付け可能な切除デバイスの拡大図である。
【図３ｂ】図3の切除デバイスのための別の係合を示す。
【図４】突出する駆動特徴部を備えた外部MDUの図である。
【図５】六角駆動特徴部を備えた外部MDUの図である。
【図６】図5のMDUのための別のシール部の位置を示す。
【発明を実施するための形態】
【０００８】
以下に開示された構成は、刃部またはバーのような使い捨ての回転する手術器具に係合する外部駆動機構を備えたモーター駆動ユニット(MDU)を含む。その装置は、使い捨ての手術器具に対して直接的に結合する突出する駆動シャフトからシールされた一体のモーターチャンバーを備えたMDUハウジングで構成される。一体拘束の特徴部は、回転可能な切除デバイスが結合されることを可能とする。
【０００９】
使い捨ての手術器具は、外部チューブを覆う流出適合部を備えたポリマー製のキャップで構成される。外部チューブは、キャップへとオーバーモールドされまたは熱結合されてもよい。内側の刃部またはバーは、外部チューブ内へと挿入され、組立体は、ピンおよび溝システムによってMDUに対して取り付けられ、かつ、拘束され得る。組立体は、MDUハウジングに対して取り付けられかつ流れ制御ピンチバルブを介して制御される流出チューブを含む。一体拘束の特徴部は、刃部またはバーが付加されるラッチの複雑さなく結合されるのを可能とする。内側の刃部またはバーは、駆動舌部またはスラフチャンバーのような付加的な接合部品の必要なく、非環状の幾何学的特徴部を介して直接的に外部駆動部と結合する。
【００１０】
開示される方法を具現化する外部駆動MDUは、回転器具とポリマー製のキャップによる流出適合部との間に画定された通路へと外科的物質を排出するための流体通路を再配向する。抽出された外科的物質は、シールされた駆動ユニットを入れることなく、または、駆動モーターによって通過させることなく、器具から(概してカニューレ挿入部または刃部を通る管路を通して)ポリマー製のキャップ通路または空洞部および流出適合部へと引き出される。MDU内の内部のシールは、回転するシャフトをモーターから分離し、外部のシールは、低圧(すなわち吸引)を維持するためのシール係合を提供するために駆動ユニットの端部の周縁領域においてポリマー製のキャップに係合する。
【００１１】
開示された方法は、したがって、MDUの外側周りの流体の管路または通路を維持し、外科的物質を収集し得る吸引経路における内部の空洞部または空隙を除外する。本方法は、流体の経路をオートクレーブまたは他の殺菌方法等によって容易に清浄可能な外部駆動特徴部を含む、使い捨ての器具およびMDUの外側表面に制限する。流体の経路は、したがって、外側のシールおよびポリマー製のキャップによって覆われた領域内の、MDUの前端の回転駆動係合部に制限される。外科的物質の流体排出流れに対するMDU表面露出は、したがってポリマー製のキャップに対して圧縮する外側のシールによって画定される前面領域に制限される。
【００１２】
図1aは、従来の先行技術に係るモーター駆動ユニット(MDU)である。図1aを参照すると、MDU10は、概して吸引または回転運動のための外科用器具を取り付けるための従来の器具結合部12と、吸引適合部14と、モーターを駆動するために電力、空気的動力またはハイドロリック動力を送るための電源コードまたはチューブ16と、を含む。吸引適合部14は、MDU10の実質的部分を備えたモーターハウジング20を通して器具結合部12と流体連通する。モーターハウジング周りの様々な空洞部および空隙は、こうして結合された外科用器具に対し吸引を提供するために、吸引適合部14と器具結合部12との間の流体連通を提供する。従来の方法は、これらの空洞部および空隙が外科的流体および外科的物質を貯め込む傾向となり得るという欠点に悩まされ、従来の流体経路の内在する特性のため、オートクレーブまたは他の工程のいずれによっても洗浄が困難となり得る。
【００１３】
図1bは、図1aのMDUによって係合された従来の器具である。図1aおよび図1bを参照すると、ハブ30は、MDU10の器具結合部12に係合するように構成された舌部32を含む。従来の切除シャフト34は、ハブ30に対して取り付けられ、組織を切除するために舌部32によって駆動されるとき、内側の刃部を外側の刃部と同軸で回転させる。シール部36は、MDUを介した吸引のための流体の分離およびシールを提供する。従来の切除器具は、したがって舌部32および関連したハブ30に対する取り付け部を含む、複数の成形された部品を必要とし、ハブ30は、舌部32によって駆動されるときに回転するための切除シャフト34と回転連通するハブ30を固定するための構成部品を使用する。これらの付加的な構成要素のそれぞれは、多目的な背景または使用毎のコストが高くなりがちな使い捨て構造のための洗浄および殺菌を必要とする。
【００１４】
図2は、本明細書に開示される外部MDUの斜視図であり、図3aおよび図3bは、図2のMDUのより近い斜視図である。図2および図3aを参照すると、本明細書に開示されるように、外科用駆動装置100は、切除デバイス112との係合のため構成された外部の回転シャフト110を含む。切除デバイス112は、回転されたときに外科的介入のため操作可能な刃部またはバーのような任意の適した外科用器具であってもよい。装置100は、モーターが回転するように外部の回転シャフト110に対して結合され、かつ、回転シャフトがモーターチャンバー122の端部124を通して延びるように、モーターチャンバー122内に配置されたモーターを有する駆動ユニット120を含む。回転シャフト110は、モーター駆動部から切除デバイス112へと回転運動を伝達するための回転シャフト110において非環状の受容部または突出部126をさらに含む。例示的構成において、非環状の受容部は、楕円形状であるが、正方形、六角形(以下で図5に示される)、ピン構成等のような任意の適した回転する連結でも十分であり得る。回転シャフト110によって提供される回転運動は、手術部における切除動作または穴あけ動作のため切除デバイス112を駆動する。
【００１５】
吸引チャンバー130は、モーターチャンバー122の前端124が駆動ユニット120とのシール係合のためキャップ132に対して受容可能な、取り外し可能なキャップ132の内部によって画定される。キャップ132は、シール係合を提供するため、モーターチャンバー122の端部124の周りで係合する。シールリング134は、モーターチャンバー122の端部124において回転シャフト110周りに環状に配置され、そこで、キャップ132は、切除デバイス112に対して受容可能であり、流体経路139のためにシール部を提供するため駆動ユニット120の端部124とのシール係合のため構成される。切除デバイス112は、キャップ132に対する回転運動のためキャップ132を通して延び、回転シャフト110がそれとともに回転するため切除デバイス112に係合するように吸引チャンバー130と流体連通する。切除デバイス112は、キャップ132と切除デバイス112との間の回転連結部をシールするためにシールリング134に対向するキャップのシール部136を通して延びる。
【００１６】
流出チューブ140は、吸引チャンバー130を介した切除デバイス112に対する流体経路139を完成させるため吸引チャンバー130と流体連通する。シャフト通路162は、シャフトのカニューレ状の内部から物質を引き出し、回転シャフトにおいて対応する流体通路160と咬合または整列する。吸引は概して流出チューブ140に対して低圧源を適用することによって形成され、これは切除デバイス112を介して抽出された外科的物質を排出するために適合部142を介して吸引チャンバー130に対して流体経路139を提供する。外科用デバイスは、概して刃部またはバーの切除縁または他の外科的に作用可能な構成要素が配置される接合領域113に対し流体経路を連続させるためにカニューレ挿入される。
【００１７】
モーターチャンバー122は、モーターシール部150がモーターチャンバー122と吸引チャンバー130との間の流体連通を防ぎつつも回転シャフト110の回転を可能とするように、モーターチャンバー122と吸引チャンバー130との間の回転シャフト112周りに配置されたモーターシール部150をさらに含む。吸引チャンバー130は、こうして流体経路139をモーターチャンバー122から分離する。吸引チャンバー130を画定するキャップ132は、モーターチャンバー122に配置され、かつ、取り外し可能なキャップ132に配置された相補的なピンまたは溝に係合するように構成された少なくとも1つのピンまたは溝を含むピンおよび溝152の拘束機構をさらに含んでもよい。このように、吸引チャンバー130を通る流出チューブ140から接合領域113における手術部への完成した流体経路139は、モーターチャンバー122および再利用殺菌で問題となり得る関連した空隙または隙間へと流体経路139を方向付けることなく、切除デバイス112におけるカニューレ挿入部を介して提供される。吸引口142は、吸引チャンバー130に対して連結し、擦過された組織、骨および流体を取り除くための外科用ポンプのような、吸引チャンバー130を排出するための低圧源の結合のために構成される。
【００１８】
シール可能な連結部131は、駆動ユニットハウジング120と吸引チャンバー130との間を封止し、吸引が回転する切除デバイス112のカニューレ状の内部へと方向付けられるのを可能とし、駆動ユニットハウジング120と吸引チャンバー130との間の回転するシール部は、吸引チャンバー130への排出された流体経路を制限することによって低圧源を駆動ユニットおよびハウジングから分離する。回転するシール部およびシール可能な連結部130は、外科的物質の排出のための流体経路を画定し、これは、使い捨てではない駆動ユニットを汚染しないように駆動ユニットおよびハウジングから分離される。吸引口14に対して結合された吸引デバイスの次の取り付けは、低圧を生成し、排出された外科的物質を吸引チャンバー130から受け入れるための吸引を適用する。
【００１９】
流体経路139は、したがって流体経路が駆動ユニットおよびハウジングから分離されるように、回転するデバイスを通る外科的物質の排出のために低圧源を方向付けるため、回転する(モーター)シール部150およびシール可能な連結部130によって画定される。流体経路は、吸引チャンバー130を通過し、駆動ユニットハウジングではなく、流出チューブ140へと適合部142を通して出る。駆動ユニットハウジング120の内部は、流体吸引経路がなく、かつ、使用毎に洗浄を必要とする関連した曲げ部および角部がない。
【００２０】
係合する受容部は、さらに概してシャフト内のカニューレ挿入部を通る吸引チャンバー130から回転するデバイス112への低圧を方向付けるために構成された流体通路160を備える。示された例示において、低圧からの吸引によって運ばれる外科的物質を排出するため、オリフィスが回転するデバイス12において相補的なオリフィスと配列するように構成されるように、流体通路164は、受容部においてオリフィスをさらに備える。
【００２１】
図3bは、図3aの切除デバイスとは別の係合を示す。図3aおよび図3bを参照すると、突出部126'は、切除器具112の係合する端部112'が図示されない(obscuring)シャフト通路162なしで係合するように、より短い深さを有する。シャフト通路162は、したがって流体経路を受け入れるための突出部126における対応する通路160を必要としない。
【００２２】
図4は、突出する駆動特徴部を備えた外部MDUの図である。図2および図4を参照すると、突出部126は、切除デバイス112の外部ではなく、内部に係合するように構成された中実の突出部110'であってもよい。シャフト通路162は次いで突出部126'がカニューレ挿入部164を妨げる前に、吸引された物質が吸引チャンバー130内へと排出されることを可能とする。例示的構成において、シール可能な連結部はさらに、駆動モーターハウジングの前面に対して取り付けまたは係合する取り外し可能なキャップを備える。シール可能な連結部131が取り外し可能なキャップと前面135との間の圧縮によって画定されるように、取り外し可能なキャップ132は、前面との選択的な係合のために構成される。1つの構成において、シール可能な連結部131は、取り外し可能なキャップ132に配置され、かつ、モーターチャンバーに配置された溝152に係合するように構成された少なくとも1つのピンを含むピン152'および溝152の拘束機構によって形成される。なお、溝152は、取り外し可能なキャップ132の内部にあってもよく、ピンは、モーターチャンバー(ハウジング)120において配置されてもよい。
【００２３】
図5は、六角形駆動特徴部を備えた外部MDUの図である。別の構成は、回転シャフト110と対応する係合部126との間で係合を介して回転を伝達するために、楕円形状110'ではなく、六角に形状化された突出部110''を使用する。シール可能な連結部131は、圧縮するシールの方法でキャップ132に係合するため、駆動ユニットにおいて前面135周りの弾性の、周縁領域またはシールリング134を含む。
【００２４】
図6は、図5のMDUのための別のシール位置を示す。キャップリング124'は、シールリング134ではなく吸引チャンバーをシールする。したがって、シール可能な連結部は、さらに前面135と係合されたキャップ132との間の圧縮のため構成された弾性シールリング134を備える。
【００２５】
別の構成において、外部駆動部は、使い捨ての刃部を固定するためにコレット形式のチャックを使用してもよく、または、外部駆動部は、刃部またはバーを固定するためにスナップ特徴部を組み込んでもよい。従来の方法とのさらなる対比において、開示された方法の利点は、以下のものを含む。外部駆動部MDUは、汚染物質を保持し得る、触れるのが困難な領域を備えた内部の空洞部を避けるため、洗浄がより容易である。従来の刃部の再処理は、一体化された適合部および流出チューブのため困難となる。開示された一体の適合部は、刃部/バー組立体を簡易化し、ラッチは不要となる。
【００２６】
本明細書において定義されたシステムおよび方法はその実施形態を参照しつつ詳細に示されかつ記載さてきたが、添付の特許請求の範囲により包含される本発明の範囲から逸脱することなく、様々な形式の変更および詳細が当業者によりこれに成され得ることに留意されたい。
【符号の説明】
【００２７】
100  外科用駆動装置
110  回転シャフト
112  切除デバイス
113  接合領域
120  駆動ユニットハウジング
122  モーターチャンバー
124  端部
126  突出部
130  吸引チャンバー
132  取り外し可能なキャップ
134  シールリング
136  キャップシール部
140  流出チューブ
142  適合部
150  モーターシール部
152  溝
152'  ピン
【図１ａ】
2017503630.tif 000003
【図１ｂ】
2017503630.tif 000004
【図２】
2017503630.tif 000005
【図３ａ】
2017503630.tif 000006
【図３ｂ】
2017503630.tif 000007
【図４】
2017503630.tif 000008
【図５】
2017503630.tif 000009
【図６】
2017503630.tif 000010
【国際調査報告】
2017503630.tif 000011
2017503630.tif 000012
2017503630.tif 000013
2017503630.tif 000014
2017503630.tif 000015